【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
磁気ストライプエミュレータを有する移動通信装置を利用して磁気ストライプ方式の取引を実行する、コンピュータにより実行される処理方法であって、
前記移動通信装置に存在するコンピュータを利用して処理ステップを実行するステップを有し、前記処理ステップは、
磁気ストライプカードによる磁気ストライプ方式の取引を実行できるように前記磁気ストライプカードの磁気ストライプに記録されることが可能なタイプのデータを再現するための磁気ストライプ情報を有する情報を保存するステップと、
保存されている前記磁気ストライプ情報を利用して、磁気ストライプカードの磁気ストライプに記録されることが可能なタイプの前記データを再現するステップと、
前記磁気ストライプ方式の取引を実行するために、再現されたデータを磁気ストライプカードリーダに転送するステップと
を有する、処理方法。
【請求項２】
保存されている前記磁気ストライプ情報が第１のカードアカウントに関連し、前記保存するステップが、１つ以上の追加的なカードアカウントに関する磁気ストライプ情報を保存するステップを更に有する、請求項１に記載の処理方法。
【請求項３】
前記処理ステップが、
前記カードアカウントの各々を個々に特定する特定データを有する情報を保存するステップと、
前記移動通信装置に存在するディスプレイにより前記カードアカウントについての前記特定データを表示するステップと、
前記移動通信装置に存在する入力装置により、前記カードアカウントのうちの１つを選択する選択コマンドを入力するステップと
を更に有し、前記再現するステップが、選択されたカードアカウントに関連する保存されている磁気ストライプ情報を利用して、磁気ストライプカードの磁気ストライプに記録されることが可能なタイプの前記データを再現するステップを有し、
前記転送するステップが、前記磁気ストライプ方式の取引を実行するために、選択されたカードアカウントに関する前記再現されたデータを磁気ストライプカードリーダに転送するステップを有する、請求項２に記載の処理方法。
【請求項４】
磁気ストライプライタを有する移動通信装置を利用して磁気ストライプカードの磁気ストライプにデータを記録する、コンピュータにより実行される処理方法であって、
前記移動通信装置に存在するコンピュータを利用して処理ステップを実行するステップを有し、前記処理ステップは、
磁気ストライプカードによる磁気ストライプ方式の取引を実行できるように前記磁気ストライプカードの磁気ストライプに記録されることが可能なタイプのデータを書き込むための磁気ストライプ情報を有する情報を保存するステップと、
保存されている磁気ストライプ情報を利用して、前記磁気ストライプカードの磁気ストライプに記録されることが可能なタイプのデータを、磁気ストライプを有する磁気ストライプカードに記録するステップと
を有する、処理方法。
【請求項５】
保存されている前記磁気ストライプ情報が第１のカードアカウントに関連し、前記保存するステップが、１つ以上の追加的なカードアカウントに関する磁気ストライプ情報を保存するステップを有し、
前記処理ステップが、
前記カードアカウントの各々を個々に特定する特定データを有する情報を保存するステップと、
前記移動通信装置に存在するディスプレイにより前記カードアカウントについての前記特定データを表示するステップと、
前記移動通信装置に存在する入力装置により、前記カードアカウントのうちの１つを選択する選択コマンドを入力するステップと
を更に有し、前記記録するステップが、選択されたカードアカウントに関連する保存されている磁気ストライプ情報を利用して、前記磁気ストライプカードの磁気ストライプに記録されることが可能なタイプのデータを、前記磁気ストライプカードに記録する、請求項４に記載の処理方法。
【請求項６】
前記移動通信装置が、磁気ストライプカードの磁気ストライプからデータを読み取る磁気ストライプリーダを更に有し、
前記処理ステップが、
磁気ストライプカードの前記磁気ストライプが、前記移動通信装置の前記磁気ストライプリーダにより読み取られる場合に取得される磁気ストライプ情報を有する情報を保存するステップと、
前記磁気ストライプカードにより磁気ストライプ方式の取引を実行できるように、取得された前記磁気ストライプ情報を磁気ストライプカードの磁気ストライプに記録するステップと
を更に有する、請求項４に記載の処理方法。
【請求項７】
前記磁気ストライプカードが再プログラム可能な磁気ストライプエミュレータと通信インタフェースとを有し、
前記保存されている磁気ストライプ情報を利用して、前記磁気ストライプカードの磁気ストライプに記録されることが可能なタイプのデータを、磁気ストライプカードに記録するステップが、前記移動通信装置と前記磁気ストライプカードの前記通信インタフェースとの間で有線又は無線の接続を介して、選択されたカードアカウントに関連する保存されている磁気ストライプ情報を転送するステップを有する、請求項４に記載の処理方法。
【請求項８】
磁気ストライプカードによる磁気ストライプ方式の取引を実行できるように前記磁気ストライプカードの磁気ストライプに記録されることが可能なタイプのデータを生成する移動通信装置であって、
磁気ストライプ装置と、
ディスプレイ装置と、
コンピュータ装置と、
前記コンピュータ装置により実行可能なプログラムモジュールを有するコンピュータプログラムと
を有し、前記コンピュータ装置は、前記コンピュータプログラムの前記プログラムモジュールにより、磁気ストライプカードによる磁気ストライプ方式の取引を実行できるように前記磁気ストライプカードの磁気ストライプに記録されることが可能なタイプについての磁気ストライプ情報を有する情報を保存する、移動通信装置。
【請求項９】
前記磁気ストライプ装置は、保存されている磁気ストライプ情報を利用して、磁気ストライプカードの磁気ストライプに記録されることが可能なタイプのデータを再現する磁気ストライプエミュレータであり、前記コンピュータプログラムは、前記磁気ストライプ方式の取引を実行するために、再現されたデータを磁気ストライプカードリーダに転送するプログラムモジュールを更に有する、請求項８に記載の移動通信装置。
【請求項１０】
前記磁気ストライプ装置が、保存されている磁気ストライプ情報を利用して、磁気ストライプを有する磁気ストライプカードに、磁気ストライプカードの磁気ストライプに記録されることが可能なタイプのデータを記録する磁気ストライプライタである、請求項８に記載の移動通信装置。
【請求項１１】
請求項１〜７のうち何れか１項に記載の処理方法を移動通信装置のコンピュータに実行させるコンピュータプログラム。
【請求項１２】
請求項１１に記載のコンピュータプログラムを記憶する記憶媒体。
【手続補正２】
【補正対象書類名】明細書
【補正対象項目名】００２６
【補正方法】変更
【補正の内容】
【００２６】
本願で説明される磁気ストライプ方式の取引を実行する移動通信装置は多くの利点を有する。例えば、ハンドバッグ、小銭入れ、財布等により複数の磁気ストライプカードを持ち歩く代わりに、ユーザは、1つの移動通信装置を用いて購入を行いかつ他の磁気ストライプカードの処理を実行することが可能である。従って、例えば、これによりカード(複数)を持ち歩く必要が無くなるので財布が薄くなる。また、そのようなカードを紛失したり盗まれたりする危険も減る。ユーザに対する別の利点は、彼又は彼女は自身のカードアカウント全てに常にアクセスできることであり、例えばギフトカード、ポイントカード或いはリベートカード(rebate  card)のように頻繁には使用しないものでさえ、自身のカードアカウント全てに常にアクセスできることである。磁気ストライプカードのプロバイダや、支払その他の用途に磁気ストライプカードを利用する業者にとっても優れた利点がある。例えば、本願により開示される磁気ストライプ方式の取引を実行する移動通信装置は、従来は磁気ストライプカードのストライプの部分で検出される磁気ストライプデータを再現する又はまねるので、磁気ストライプカードを読み取って処理するために備わっている既存の設備及び装置(例えば、カードリーダ、カード処理ソフトウェア等)を、置き換える又はアップグレードする必要はない。小規模のカードプロバイダにとっての別の利点は、本願による実施の形態は、競争の条件を公平にすることである。物理的な磁気ストライプカードの場合、ユーザは、店のカードや特定の業者のブランドを購入する際のカード等のような頻繁には使用しないカードを積極的に持ち歩こうとはしない。しばしば、カードユーザは、実用上何処でも使用できる1つ以上のユニバーサルカードを持ち歩くことを選択しようとする。しかしながら、本願により説明される実施の形態では、特定の店やブランドのアカウントに関する磁気ストライプ情報を、それがユニバーサルカードアカウントのように簡易に保存及び利用できるので、ユーザは小規模のカードプロバイダのアカウントを従来よりも頻繁に利用するようになり、これによりその企業はユニバーサルアカウントが使用されていた場合よりも多い利益を得ることができる。
【手続補正３】
【補正対象書類名】明細書
【補正対象項目名】００４３
【補正方法】変更
【補正の内容】
【００４３】
更に、図8の概略的なコンピュータ装置は例えば通信インタフェース18のような他の要素も含んでいてよい。図8の概略的なコンピュータ装置は1つ以上の従来のコンピュータ入力装置20(例えば、ポインティングデバイス、キーボード、音声入力装置、ビデオ入力装置、触覚(haptic)入力装置、有線又は無線のデータ信号を受信する装置等)を含んでいてもよい。図8の概略的なコンピュータ装置は、例えば、1つ以上の従来の表示装置24及びその他のコンピュータ出力装置22等のような他の選択的又は任意的な要素(例えば、音声出力装置、映像出力装置、有線又は無線のデータ信号を送信する装置等)を含んでいてもよい。通信インタフェース18、入力装置20、出力装置22及びストレージ装置26等のような汎用コンピュータに典型的な要素自体は当業者に知られており、本願において詳細には説明しない点に留意を要する。